(57)【要約】【課題】過去に受信側で受信されたドキュメントデータと同一内容のドキュメントデータを受信側に再送することができる通信装置及び通信方法を提供すること。【解決手段】通信装置１０では、制御部１１が、送信対象のドキュメントデータを前記ドキュメントデータの送信に際して生成された付加情報と共に通信網１００を介して送信し、前記ドキュメントデータをドキュメント記憶部１２１に記憶させ、前記付加情報を付加情報記憶部１２２に記憶させ、前記ドキュメントデータ及び前記付加情報の対応関係を示す対応情報を対応情報記憶部１２３に記憶させた後、過去に送信された前記ドキュメントデータ及び前記付加情報を前記対応情報に基づいて再送信可能である。【選択図】図１
2014187669.tif 000002
【特許請求の範囲】
【請求項１】
送信対象のドキュメントデータを前記ドキュメントデータの送信に際して生成された付加情報と共に通信網を介して送信する送信手段と、
前記ドキュメントデータを第１の記憶手段に記憶させる第１の記憶処理手段と、
前記付加情報を第２の記憶手段に記憶させる第２の記憶処理手段と、
前記ドキュメントデータ及び前記付加情報の対応関係を示す対応情報を第３の記憶手段に記憶させる第３の記憶処理手段と、
前記送信手段により過去に送信された前記ドキュメントデータ及び前記付加情報を前記対応情報に基づいて再送信可能な再送信手段と、
を備える通信装置。
【請求項２】
前記付加情報が、送信元、送信先、及び送信時期のいずれか一つ又は複数を識別する識別情報を含む請求項１に記載の通信装置。
【請求項３】
前記再送信手段が、前記通信装置に設けられた操作部に対するユーザー操作に応じて前記ドキュメントデータ及び前記付加情報を再送信することが可能である請求項１又は２に記載の通信装置。
【請求項４】
前記再送信手段が、送信先及び再送信対象期間の入力を受け付け、前記送信先に対して前記再送信対象期間の間に送信された一又は複数の前記ドキュメントデータ及び前記付加情報を再送信する請求項３に記載の通信装置。
【請求項５】
前記再送信手段が、前記ドキュメントデータの送信先からの再送信要求の受信に応じて前記ドキュメントデータ及び前記付加情報を再送信することが可能である請求項１〜４のいずれかに記載の通信装置。
【請求項６】
過去に送信した前記ドキュメントデータに関する送信履歴情報を送信することが可能な履歴送信手段を更に備える請求項５に記載の通信装置。
【請求項７】
前記履歴送信手段が、前記対応情報に記憶された前記送信元の識別情報と前記再送信要求の送信元の識別情報とが一致する前記ドキュメントデータに関する前記送信履歴情報のみを送信する請求項６に記載の通信装置。
【請求項８】
前記送信履歴情報が、前記ドキュメントデータを縮小して並べたサムネイル画像、前記ドキュメントデータを識別するための識別コード、前記ドキュメントデータの送信時期のいずれか一つ又は複数を含む請求項６又は７に記載の通信装置。
【請求項９】
前記再送信手段が、前記識別コードを受信した場合に、前記識別コードに対応する前記ドキュメントデータ及び前記付加情報を再送信することが可能である請求項８に記載の通信装置。
【請求項１０】
前記再送信手段が、前記識別コードの開始コード及び終了コードを受信した場合に、前記開始コード及び前記終了コードの間に含まれる前記識別コードに対応する前記ドキュメントデータ及び前記付加情報を再送信することが可能である請求項９に記載の通信装置。
【請求項１１】
前記履歴送信手段が、前記ドキュメントデータの選択記入欄を含むオーダーシート形式で前記送信履歴情報を送信し、
前記再送信手段が、前記オーダーシート形式の前記送信履歴情報を受信した場合に、前記選択記入欄に対する記入により選択された前記ドキュメントデータを前記付加情報と共に再送信することが可能である請求項３〜１０のいずれかに記載の通信装置。
【請求項１２】
前記再送信手段が、前記ドキュメントデータに予め設定された電子透かしを付加して再送信する請求項１〜１１のいずれかに記載の通信装置。
【請求項１３】
前記第１の記憶手段、前記第２の記憶手段、及び前記第３の記憶手段を有する記憶部を備える請求項１〜１２のいずれかに記載の通信装置。
【請求項１４】
送信対象のドキュメントデータを前記ドキュメントデータの送信に際して生成された付加情報と共に通信網を介して送信する送信ステップと、
前記ドキュメントデータを第１の記憶手段に記憶させる第１の記憶ステップと、
前記付加情報を第２の記憶手段に記憶させる第２の記憶ステップと、
前記ドキュメントデータ及び前記付加情報の対応関係を示す対応情報を第３の記憶手段に記憶させる第３の記憶ステップと、
前記送信ステップにより過去に送信された前記ドキュメントデータ及び前記付加情報を前記対応情報に基づいて再送信する再送信ステップと、
を含む通信装置における通信方法。
【発明の詳細な説明】
【技術分野】
【０００１】
本発明は、通信網を介してドキュメントデータを送受信する通信装置に関する。
【背景技術】
【０００２】
一般に、電話回線又はインターネットなどの通信網を介してドキュメントデータを送受信するＦＡＸ機能を有する通信装置が知られている。また、過去のファクシミリー送信時に設定された拡大倍率及び受信端末側の受信解像度の情報を記憶しておき、その送信時の設定を用いて画像情報を出力する通信装置も知られている（例えば、特許文献１参照）。なお、通信装置は、ＦＡＸ通信処理によりドキュメントデータを送信する際に、そのドキュメントデータに送信時期、送信元の名称、送信元のＦＡＸ番号、及びページ数などの情報を付加する。
【先行技術文献】
【特許文献】
【０００３】
【特許文献１】特開２００６−４１７１６号公報
【発明の概要】
【発明が解決しようとする課題】
【０００４】
しかしながら、受信端末で受信されたドキュメントデータが紛失した場合に、前述の技術を用いてそのドキュメントデータを再送した場合でも、送信端末による送信時にドキュメントデータに付加される情報については再現されない。
本発明の目的は、過去に受信側で受信されたドキュメントデータと同一内容のドキュメントデータを受信側に再送することができる通信装置及び通信方法を提供することにある。
【課題を解決するための手段】
【０００５】
本発明に係る通信装置は、送信手段、第１の記憶処理手段、第２の記憶処理手段、第３の記憶処理手段、及び再送信手段を備える。前記送信手段は、送信対象のドキュメントデータを前記ドキュメントデータの送信に際して生成された付加情報と共に通信網を介して送信する。前記第１の記憶処理手段は、前記ドキュメントデータを第１の記憶手段に記憶させる。前記第２の記憶処理手段は、前記付加情報を第２の記憶手段に記憶させる。前記第３の記憶処理手段は、前記ドキュメントデータ及び前記付加情報の対応関係を示す対応情報を第３の記憶手段に記憶させる。前記再送信手段は、前記送信手段により過去に送信された前記ドキュメントデータ及び前記付加情報を前記対応情報に基づいて再送信可能である。
【０００６】
本発明に係る通信方法は、送信ステップ、第１の記憶ステップ、第２の記憶ステップ、第３の記憶ステップ、及び再送信ステップを備える。前記送信ステップは、送信対象のドキュメントデータを前記ドキュメントデータの送信に際して生成された付加情報と共に通信網を介して送信する。前記第１の記憶ステップは、前記ドキュメントデータを第１の記憶手段に記憶させる。前記第２の記憶ステップは、前記付加情報を第２の記憶手段に記憶させる。前記第３の記憶ステップは、前記ドキュメントデータ及び前記付加情報の対応関係を示す対応情報を第３の記憶手段に記憶させる。前記再送信ステップは、前記送信ステップにより過去に送信された前記ドキュメントデータ及び前記付加情報を前記対応情報に基づいて再送信する。
【発明の効果】
【０００７】
本発明によれば、過去に受信端末で受信されたドキュメントデータと同一内容のドキュメントデータを前記受信端末に再送することができる。
【図面の簡単な説明】
【０００８】
【図１】本発明の実施形態に係る通信装置の概略構成を示すブロック図。
【図２】本発明の実施形態に係る通信装置で実行されるＦＡＸ送信処理の手順の一例を説明するためのフローチャート。
【図３】本発明の実施形態に係る通信装置で使用される付加情報の一例を示す図。
【図４】本発明の実施形態に係る通信装置で使用される対応情報の一例を示す図。
【図５】本発明の実施形態に係る通信装置で実行されるＦＡＸ再送信処理の手順の一例を説明するためのフローチャート。
【図６】本発明の実施形態に係る通信装置で使用される選択画面の一例を示す図。
【図７】本発明の実施形態に係る通信装置で再送信される画像データ及び付加情報の一例を示す図。
【図８】本発明の実施形態に係る通信装置で実行されるポーリング送信処理の手順の一例を説明するためのフローチャート。
【図９】オーダーシートの一例を示す図。
【発明を実施するための形態】
【０００９】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１０】
［通信装置１０の概略構成］
まず、図１を参照しつつ、本発明の実施の形態に係る通信装置１０の概略構成について説明する。前記通信装置１０は、通信網１００を介して通信装置２０などの外部端末と通信可能に接続される。前記通信装置１０及び前記通信装置２０は、前記通信網１００を介してＦＡＸ通信を実行するＦＡＸ機能を有するファクシミリー装置である。特に、前記通信装置１０は、コピー機能、プリント機能及びスキャン機能などの他の機能を有する複合機である。前記ＦＡＸ通信において、前記通信装置１０及び前記通信装置２０は、ＩＴＵ−Ｔ（国際電気通信連合の電気通信標準化部門）勧告のＴ．３０規格に準拠した通信プロトコルで使用される制御信号をアナログデータで表したモデム信号を送受信する。
【００１１】
なお、前記通信網１００は、公衆交換電話網、インターネット、ＬＡＮ、又はイントラネットなどである。即ち、前記通信装置１０及び前記通信装置２０は、インターネット等のパケット網を介してＦＡＸ通信を実行するＩＡＦ（Internet Aware FAX）であってもよい。この場合、前記通信装置１０及び前記通信装置２０は、前記ＦＡＸ通信において、ＩＴＵ−Ｔ勧告のＴ．３８規格に準拠した通信プロトコルで使用される制御信号をデジタルデータで表したパケット信号を送受信する。また、前記通信装置１０及び前記通信装置２０が、ゲートウェイを経由することによりインターネット等のパケット網を介してＦＡＸ通信を行うことも考えられる。
【００１２】
前記通信装置１０は、制御部１１、記憶部１２、操作表示部１３、画像読取部１４、画像形成部１５、及び通信ＩＦ１６などを備える。前記通信装置１０に設けられた前記構成要素各々は内部バス１７によって接続されている。
【００１３】
前記制御部１１は、ＣＰＵ１１１、ＲＯＭ１１２、ＲＡＭ１１３、及びＥＥＰＲＯＭ１１４などを有するコンピューターである。前記ＣＰＵ１１１は、演算処理を実行するプロセッサーである。前記ＲＯＭ１１２は、前記ＣＰＵ１１１に各種の処理を実行させるための制御プログラムなどの情報が予め記憶される不揮発性の記憶手段である。また、前記ＲＡＭ１１３は揮発性の記憶手段、前記ＥＥＰＲＯＭ１１４は不揮発性の記憶手段である。前記ＲＡＭ１１３及び前記ＥＥＰＲＯＭ１１４は、前記ＣＰＵ１１１が実行する各種の処理の一時記憶メモリー（作業領域）として使用される。また、前記通信装置１０では、前記ＥＥＰＲＯＭ１１４に、不図示の記憶媒体（ＣＤ，ＤＶＤ、半導体メモリーなど）から読み出した制御プログラムをインストールすることも可能である。なお、前記制御部１１は集積回路（ＡＳＩＣ又はＤＳＰ）などの電子回路で構成されたものであってもよい。また、前記制御部１１は、複数の制御主体（プロセッサー）を有するものであってもよい。
【００１４】
前記制御部１１は、前記ＲＯＭ１１２又は前記ＥＥＰＲＯＭ１１４に記憶された前記制御プログラムに従った処理を前記ＣＰＵ１１１で実行することにより前記通信装置１０を統括的に制御する。例えば、前記制御部１１は、前記画像読取部１４により原稿から画像データを読み取る画像読取処理を実行するスキャン機能、及び入力された画像データを前記画像形成部１５により印刷する画像形成処理を実行するプリント機能などを具現する。また、前記制御部１１は、前記画像読取部１４により原稿から画像データを読み取ると共に、その読み取られた画像データを前記画像形成部１５により印刷するコピー機能も具現する。
【００１５】
さらに、前記ＲＯＭ１１２又は前記ＥＥＰＲＯＭ１１４には、前記制御部１１に後述のＦＡＸ送信処理（図２参照）及びＦＡＸ再送信処理（図５参照）を実行させるための通信プログラムが記憶されている。なお、前記通信プログラムは、ＣＤ、ＤＶＤ、半導体メモリーなどのコンピューター読み取り可能な記録媒体に記録されており、不図示の読取装置で前記記録媒体から読み取られて前記ＥＥＰＲＯＭ１１４にインストールされてもよい。本発明は、前記通信プログラム又は前記通信プログラムが記録されたコンピューター読み取り可能な記録媒体の発明として捉えてもよい。
【００１６】
前記記憶部１２は、情報を記憶するＨＤＤ（Hard  Disk  Drive）又はＳＳＤ（Solid  State  Drive）などの不揮発性の記憶手段である。前記記憶部１２は、画像データ及びテキストデータなどのドキュメントデータを記憶するドキュメント記憶部１２１、後述の付加情報Ｄ１（図２参照）を記憶する付加情報記憶部１２２、及び後述の対応情報Ｄ２（図３参照）を記憶する対応情報記憶部１２３を有する。例えば、前記ドキュメント記憶部１２１、前記付加情報記憶部１２２、及び前記対応情報記憶部１２３は、前記記憶部１２内の記憶領域である。ここに、前記ドキュメント記憶部１２１、前記付加情報記憶部１２２、及び前記対応情報記憶部１２３が、第１の記憶手段、第２の記憶手段、及び第３の記憶手段にそれぞれ相当する。なお、前記ドキュメント記憶部１２１、前記付加情報記憶部１２２、及び前記対応情報記憶部１２３のいずれか一つ又は複数が前記通信網１００を介して接続された外部のサーバー装置内の記憶領域であることも他の実施形態として考えられる。
【００１７】
前記操作表示部１３は、前記制御部１１からの制御指示に応じて各種の情報を表示する液晶ディスプレイなどの表示部、及びユーザー操作を受け付けて操作信号を前記制御部１１に入力する操作部を有する。例えば、前記操作部は、前記表示部の表示面の上面又は下面に設けられ、前記表示部の表示面に対するユーザーのタッチ操作を検知するタッチパネルである。
【００１８】
前記画像読取部１４は、原稿台に載置された原稿又はＡＤＦ（自動原稿搬送装置）により搬送される原稿に光を照射し、その原稿からの反射光をＣＣＤ等の撮像素子（光電変換素子）によって画像データとして読み取る画像読取手段である。前記画像読取部１４で読み取られた画像データは、前記記憶部１２の前記ドキュメント記憶部１２１に記憶される。そして、前記画像読取部１４で読み取られた画像データは、前記制御部１１によって実行されるＦＡＸ通信によって外部に送信される。なお、前記ドキュメント記憶部１２１には、前記制御部１１によって実行されるＦＡＸ通信によって受信された画像データも記憶される。
【００１９】
前記画像形成部１５は、感光体ドラム、帯電装置、露光装置、現像装置、転写装置及び定着装置などを備えた電子写真方式の画像形成手段である。例えば、前記画像形成部１５は、前記制御部１１によって実行されるＦＡＸ通信によって受信した画像データに基づいて画像を紙などのシートに形成する画像形成処理を実行する。
【００２０】
前記通信ＩＦ１６は、前記通信装置１０を有線又は無線で前記通信網１００に接続し、前記通信網１００を介して前記通信装置２０等の外部装置との間でデータ通信を実行する通信インターフェースである。例えば、前記通信ＩＦ１６は、前記通信網１００を介して送受信されるデータの符号化及び復号化を実行する通信モデム又はネットワーク通信カードなどを有する。
【００２１】
以下、前記通信装置１０の前記制御部１１が前記通信プログラムに従って実行するＦＡＸ送信処理（図２参照）及びＦＡＸ再送信処理（図５参照）の手順の一例について説明する。なお、前記制御部１１によって実行される各処理手順をステップＳ１１、Ｓ１２、・・・、及びステップＳ２１、Ｓ２２、・・・と称する。なお、本実施の形態では、前記制御部１１が前記ＦＡＸ送信処理及び前記ＦＡＸ再送信処理を実行する場合を例に挙げて説明するが、複数のプロセッサーが協働して前記ＦＡＸ送信処理及び前記ＦＡＸ再送信処理を実行することも考えられる。
【００２２】
［ＦＡＸ送信処理］
まず、図２〜図４を参照しつつ、前記ＦＡＸ送信処理の手順の一例について説明する。
【００２３】
＜ステップＳ１１＞
ステップＳ１１において、前記制御部１１は、ＦＡＸ送信の開始要求の有無を判断する。具体的に、前記制御部１１は、前記操作表示部１３に対するユーザー操作により、ＦＡＸ送信に関する各種の送信設定情報の設定が行われ、前記操作表示部１３のスタートキー（不図示）が押下された場合に前記ＦＡＸ送信の開始要求があったと判断する。前記送信設定情報には、例えば前記ＦＡＸ送信の送信先の識別情報（名称、ＦＡＸ番号、又はアドレスなど）、原稿サイズ、又は解像度などの各種の情報が含まれる。また、前記通信装置１０において複数のＦＡＸ送信ジョブが待機している場合、前記制御部１１は、各ＦＡＸ送信ジョブが実行可能となったときにＦＡＸ送信の開始要求があったと判断する。さらに、前記通信装置１０がパーソナルコンピューターなどの情報処理装置に通信可能に接続されている場合、前記制御部１１は、前記情報処理装置からＦＡＸ送信の開始要求信号を受信したときにＦＡＸ送信の開始要求があったと判断する。
【００２４】
ここで、前記制御部１１は、ＦＡＸ送信の開始要求があったと判断した場合は（Ｓ１１のＹｅｓ側）、処理をステップＳ１２に移行させ、ＦＡＸ送信の開始要求がなければ（Ｓ１１のＮｏ側）、前記ステップＳ１１の判断を繰り返し実行する。
【００２５】
＜ステップＳ１２＞
ステップＳ１２において、前記制御部１１は、ＦＡＸ送信の送信対象となる画像データを前記記憶部１２の前記ドキュメント記憶部１２１に記憶させる。ここに、前記ステップＳ１２が第１の記憶ステップに相当し、前記ステップＳ１２を実行するときの前記制御部１１が第１の記憶処理手段に相当する。
【００２６】
具体的に、前記画像読取部１４で読み取られる原稿の画像データがＦＡＸ送信の送信対象である場合、前記制御部１１は、前記画像読取部１４により原稿から画像データを読み取り、前記画像データを前記ドキュメント記憶部１２１に記憶させる。このとき、前記制御部１１は、前記画像データを識別するファイル名などの識別情報を前記画像データに付して記憶させる。また、前記通信装置１０に接続された前記情報処理装置から入力される画像データがＦＡＸ送信の送信対象である場合、前記制御部１１は、前記情報処理装置から入力される画像データを前記ドキュメント記憶部１２１に記憶させる。
【００２７】
＜ステップＳ１３＞
ステップＳ１３において、前記制御部１１は、前記通信ＩＦ１６を制御し、前記通信網１００を介してＦＡＸ送信の送信先の通信装置との間で通信を確立させる。例えば、前記制御部１１は、前記送信設定情報に含まれた送信先のＦＡＸ番号にダイヤルすることにより、前記送信先との間の通信を確立させる。
【００２８】
＜ステップＳ１４＞
ステップＳ１４において、前記制御部１１は、前記ステップＳ１１で開始すると判断されたＦＡＸ送信に関する付加情報Ｄ１を生成する。前記付加情報Ｄ１は、例えばＦＡＸ送信時に送信する画像データのヘッダー領域又はフッター領域に付される画像データである。前記付加情報は、ＦＡＸ送信の送信元及びＦＡＸ送信の内容などに関する各種の情報を含む。図３に示す例では、前記付加情報Ｄ１に、送信先名称Ｄ１１、送信先ＦＡＸ番号Ｄ１２、送信時期Ｄ１３、送信元名称Ｄ１４、送信元ＦＡＸ番号Ｄ１５、総ページ数Ｄ１６、及びページ番号Ｄ１７などの情報が含まれている。
【００２９】
前記送信先名称Ｄ１１及び前記送信先ＦＡＸ番号Ｄ１２は送信先の識別情報であり、前記送信先名称Ｄ１１はＦＡＸ送信の送信先の名称、前記送信先ＦＡＸ番号Ｄ１２はＦＡＸ送信の送信先のＦＡＸ番号（又はアドレスなど）である。前記送信時期Ｄ１３は、ＦＡＸ送信が実行された時期を示す年月日及び時刻などである。なお、前記制御部１１は、現在の年月日及び時刻を前記通信装置１０が備えるカレンダー及び時計から取得することが可能である。前記送信元名称Ｄ１４及び前記送信元ＦＡＸ番号Ｄ１５は送信元の識別情報であり、前記送信元名称Ｄ１４は前記通信装置１０の名称、前記送信元ＦＡＸ番号Ｄ１５は前記通信装置１０のＦＡＸ番号（又はアドレスなど）である。前記総ページ数Ｄ１６は、ＦＡＸ送信で送信されるドキュメントデータの総ページ数を示す。前記頁番号Ｄ１７は、ＦＡＸ送信で送信されるドキュメントデータの各ページのページ番号／総ページ数を示す。なお、図３に示す前記付加情報Ｄ１の内容は単なる一例に過ぎない。
【００３０】
＜ステップＳ１５＞
ステップＳ１５において、前記制御部１１は、前記ステップＳ１４で生成された前記付加情報Ｄ１を前記記憶部１２の前記付加情報記憶部１２２に記憶させる。ここに、前記ステップＳ１５が第２の記憶ステップに相当し、前記ステップＳ１５を実行するときの前記制御部１１が第２の記憶処理手段に相当する。このとき、前記制御部１１は、前記付加情報Ｄ１を識別するためのファイル名などの識別情報を前記付加情報Ｄ１に付して記憶させる。なお、前記付加情報記憶部１２２に記憶される前記付加情報Ｄ１の形式は、前記付加情報Ｄ１を再現することが可能であれば画像データに限らず、前記付加情報Ｄ１に含まれた各項目の情報を示すテキストデータ等であってもよい。
【００３１】
＜ステップＳ１６＞
ステップＳ１６において、前記制御部１１は、ＦＡＸ送信の送信対象である前記画像データを、前記画像データの送信に際して前記ステップＳ１４で生成された前記付加情報Ｄ１と共に、前記通信網１００を介してＦＡＸ送信の送信先に送信する。ここに、係る処理を実行するときの前記制御部１１が送信手段の一例である。
【００３２】
具体的に、前記制御部１１は、前記付加情報Ｄ１を前記画像データのヘッダー領域に配置した送信用画像データを生成し、前記送信用画像データを前記送信先に送信する。また、前記制御部１１は、前記付加情報Ｄ１及び前記画像データを合成することなく順次送信することも可能である。そして、前記ステップＳ１６における前記画像データのＦＡＸ送信が終了すると、前記制御部１１は処理をステップＳ１７に移行させる。
【００３３】
＜ステップＳ１７＞
ステップＳ１７において、前記制御部１１は、前記画像データ及び前記付加情報Ｄ１の対応関係を示す対応情報Ｄ２を前記記憶部１２の前記対応情報記憶部１２３に記憶させ、処理を前記ステップＳ１１に戻す。ここに、前記ステップＳ１７が第３の記憶ステップに相当し、前記ステップＳ１７を実行するときの前記制御部１１が第３の記憶処理手段に相当する。
【００３４】
図４に示す例では、前記対応情報Ｄ２に、ＦコードＤ２１、送信時期Ｄ２２、画像データＤ２３、付加情報Ｄ２４、及び送信元Ｄ２５などを識別する識別情報が含まれている。前記ＦコードＤ２１は、過去に実行されたＦＡＸ送信を識別する識別情報である。前記ＦコードＤ２１の項目は、例えば前記ＦＡＸ送信により送信された前記画像データの記憶フォルダの名称を示す。本実施形態では、前記ＦコードＤ２１が、ＦＡＸ送信の年月日及び時間で表されている。例えば、Ｆコード「１２１１１９１８０５」は、２０１２年１１月１９日１８時０５分に実行されたＦＡＸ送信を示す。前記送信時期Ｄ２２の項目は、ＦＡＸ送信が実行された年月日及び時刻などの送信時期の識別情報である。前記画像データＤ２３の項目は、前記画像データのファイル名などの識別情報である。前記付加情報Ｄ２４の項目は、前記付加情報Ｄ１のファイル名などの識別情報である。前記送信先Ｄ２５の項目は、ＦＡＸ送信の送信先のＦＡＸ番号（又は名称、アドレスなど）を識別する識別情報である。なお、図４に示す前記対応情報Ｄ２の内容は単なる一例に過ぎない。
【００３５】
［ＦＡＸ再送信処理］
続いて、図５及び図６を参照しつつ、前記ＦＡＸ再送信処理の手順の一例について説明する。
【００３６】
＜ステップＳ２１＞
ステップＳ２１において、前記制御部１１は、ＦＡＸ再送信の開始要求の有無を判断する。具体的に、前記制御部１１は、前記操作表示部１３に対するユーザー操作により、ＦＡＸ再送信に関する各種の再送信設定情報の設定を開始する再送信開始操作が行われた場合にＦＡＸ再送信の開始要求があったと判断する。また、前記通信装置１０がパーソナルコンピューターなどの情報処理装置に接続されている場合、前記制御部１１は、前記情報処理装置から再送信要求を受信したときにＦＡＸ再送信の開始要求があったと判断する。
【００３７】
ここで、前記制御部１１は、ＦＡＸ再送信の開始要求があったと判断した場合は（Ｓ２１のＹｅｓ側）、処理をステップＳ２２に移行させ、ＦＡＸ再送信の開始要求がなければ（Ｓ２１のＮｏ側）、前記ステップＳ２１の判断を繰り返し実行する。
【００３８】
＜ステップＳ２２＞
ステップＳ２２において、前記制御部１１は、ＦＡＸ再送信の送信対象となる過去のＦＡＸ送信を選択するための選択画面Ｇ１を前記操作表示部１３に表示させる。前記選択画面Ｇ１には、前記通信装置１０で過去に実行されたＦＡＸ送信の履歴に関する情報が表示される。例えば、前記選択画面Ｇ１には、前記対応情報Ｄ２の一部又は全部の項目の情報が表示される。また、前記制御部１１は、前記選択画面Ｇ１において、前記画像データＤ２３の項目に示されたファイル名の画像データの内容をユーザーが目視可能な状態で表示させることが考えられる。例えば、図６に示す前記選択画面Ｇ１は、前記画像データＤ２３の項目に示されたファイル名の画像データ各々を縮小して、前記ＦコードＤ２１及び前記送信時期Ｄ２２の情報と共に配列したサムネイル表示形式を採用した表示例である。
【００３９】
また、前記制御部１１が、前記操作表示部１３に対する送信先及び再送信対象期間の入力を受け付け、前記送信先に対して前記再送信対象期間の間に送信された一又は複数の前記ドキュメントデータ及び前記付加情報を再送信することが考えられる。この場合、ユーザーは、前記送信先及び前記再送信対象期間を入力するだけで再送信の対象となる画像データを簡単に選択することが可能となる。例えば、前記再送信対象期間の入力は、前記操作表示部１３に対する開始時期及び終了時期を指定する操作によって行われる。その他、前記制御部１１が、前記操作表示部１３のユーザー操作に応じて、前記対応情報Ｄ２の各項目を対象とする検索処理を実行し、再送信の送信対象を絞り込むことも考えられる。
【００４０】
＜ステップＳ２３＞
ステップＳ２３において、前記制御部１１は、前記ステップＳ２２で表示された前記選択画面Ｇ１においてＦＡＸ再送信の送信対象となる過去のＦＡＸ送信が選択されたか否かを判断する。なお、前記選択画面Ｇ１における選択操作は、例えば前記操作表示部１３の表示面に対するユーザーのタッチ操作によって行われる。
【００４１】
ここで、前記制御部１１は、ＦＡＸ再送信の送信対象が選択されたと判断すると（Ｓ２３のＹｅｓ側）、処理をステップＳ２４に移行させ、ＦＡＸ再送信の送信対象が選択されるまでの間は（Ｓ２３のＮｏ側）、前記ステップＳ２３で処理を待機させる。
【００４２】
＜ステップＳ２４＞
ステップＳ２４において、前記制御部１１は、前記対応情報記憶部１２３に記憶された前記対応情報Ｄ２に基づいて、前記ステップＳ２３で選択された過去のＦＡＸ送信に対応する前記画像データ及び前記付加情報Ｄ１を前記記憶部１２の前記ドキュメント記憶部１２１及び前記付加情報記憶部１２２から読み出す。例えば、図４に示す前記対応情報Ｄ２が前記対応情報記憶部１２３に記憶されている場合に、前記ＦコードＤ２１の項目が「１２１１１９１８０５」である最上段のＦＡＸ送信が選択された場合、前記制御部１１は、そのＦＡＸ送信に対応する画像データ「１２１１１９１８０５−１．ｂｍｐ」、及び付加情報Ｄ１「１２１１１９１８０５−２．ｂｍｐ」を読み出す。
【００４３】
＜ステップＳ２５＞
ステップＳ２５において、前記制御部１１は、前記通信ＩＦ１６を制御することにより前記通信網１００を介してＦＡＸ再送信の送信先の通信装置との間で通信を確立させる。具体的に、前記制御部１１は、前記ステップＳ２３で選択された過去のＦＡＸ送信に対応する前記送信先Ｄ２５の情報を前記対応情報Ｄ２から読み出してダイヤルすることにより、前記送信先との間の通信を確立させる。
【００４４】
＜ステップＳ２６＞
そして、ステップＳ２６において、前記制御部１１は、前記ステップＳ２４で読み出された前記画像データ及び前記付加情報Ｄ１をＦＡＸ通信により前記送信先に送信する。このように、前記通信装置１０では、前記制御部１１が、前記ＦＡＸ送信処理により過去に送信された前記画像データ及び前記付加情報Ｄ１を前記対応情報Ｄ２に基づいて再送信することが可能である。ここに、前記ステップＳ２６が再送信ステップに相当し、前記ステップＳ２６を実行するときの前記制御部１１が再送信手段に相当する。即ち、前記ＦＡＸ再送信処理では、前記ＦＡＸ送信処理（図２参照）における前記ステップＳ１４〜Ｓ１５が省略される。これにより、前記制御部１１は、今回のＦＡＸ再送信時における付加情報を新たに生成することなく、過去に送信された前記画像データ及び前記付加情報Ｄ１の組み合わせでＦＡＸ送信を実行する。なお、図７には、前記ステップＳ２６で再送信される前記画像データ及び前記付加情報Ｄ１の一例が示されている。
【００４５】
これにより、前記通信装置１０によるＦＡＸ再送信の送信先の通信装置（例えば通信装置２０）では、過去に受信した前記画像データ及び前記付加情報Ｄ１を含むドキュメントデータと同一の情報を再度受信することができる。したがって、ＦＡＸ再送信の送信先の通信装置では、過去に一度受け取ったことのある画像データと同一の画像データに基づく印刷物を得ることが可能となる。例えば、ＦＡＸ再送信の送信先の通信装置のユーザーは、前記通信装置１０からＦＡＸ通信で受信した印刷物を紛失した場合でもその印刷物と同一の印刷物を得ることができるためＢＣＰ（事業継続計画：business continuity plan）に有効である。
【００４６】
なお、前記制御部１１が、前記ステップＳ２６において、前記ステップＳ１４における前記付加情報Ｄ１の生成処理を実行し、過去のＦＡＸ送信に対応する前記画像データ及び前記付加情報Ｄ１と共に、再送信時に生成された前記付加情報Ｄ１を送信してもよい。また、再送信時に対応する前記付加情報Ｄ１を送信するか否かは、前記制御部１１によって実行される前記通信装置１０の初期設定処理などにおいてユーザー操作に応じて選択可能であることが考えられる。これにより、過去のＦＡＸ送信時に対応する前記付加情報Ｄ１の内容を確認することができると共に、過去のＦＡＸ送信で受信したオリジナルの画像データとＦＡＸ再送信で受信した画像データとを識別することができる。
【００４７】
また、過去のＦＡＸ送信で受信したオリジナルの画像データとＦＡＸ再送信で受信した画像データとを識別する手法として、前記制御部１１が、ＦＡＸ再送信時に送信する画像データに、予め設定された情報を含む電子透かしを付加することが考えられる。例えば、前記電子透かしは、再送信である旨を示す情報及び再送信時期を示す情報などを含むことが考えられる。これにより、前記電子透かしを読み取り可能な読取装置で印刷物を読み取ることにより、前記印刷物がＦＡＸ再送信により送信されたものであるか否かを判別することが可能となる。また、前記電子透かしに限らず、前記制御部１１が前記画像データの一部に再送信である旨のテキスト情報又は画像情報などを付加して送信することも考えられる。
【００４８】
［他の実施形態］
以下、前記通信装置１０の他の実施形態について説明する。
【００４９】
［ポーリング受信機能］
前記通信装置１０が、外部の通信装置からのＦＡＸ送信要求の受信に応じてＦＡＸ送信を実行するポーリング受信機能を有することが考えられる。前記ポーリング受信機能は、前記制御部１１によって前記通信プログラムに従って処理が実行されることにより実現される。なお、前記ポーリング受信機能については、従来周知のファクシミリー装置が一般的に備える機能であるためここでは詳細な説明は省略する。この場合、前記通信装置１０では、前記制御部１１が、前記ポーリング受信機能を利用して、外部の通信装置からの再送信要求の受信に応じてＦＡＸ再送信を実行することが可能である。
【００５０】
ここで、図８を参照しつつ、前記制御部１１によって実行されるポーリング送信処理の手順の一例について説明する。なお、以下では、前記通信装置１０が、前記通信装置２０から前記ＦＡＸ送信要求を受信する場合を例に挙げつつ説明する。
【００５１】
＜ステップＳ３１＞
ステップＳ３１において、前記制御部１１は、前記通信ＩＦ１６により前記ポーリング受信機能を利用したＦＡＸ送信要求が受信されたか否かを判断する。ここで、前記制御部１１は、ＦＡＸ送信要求が受信されたと判断すると（Ｓ３１のＹｅｓ側）、処理をステップＳ３２に移行させ、ＦＡＸ送信要求が受信されていなければ（Ｓ３１のＮｏ側）、前記ステップＳ３１の判断を繰り返し実行する。
【００５２】
＜ステップＳ３２＞
ステップＳ３２において、前記制御部１１は、前記ＦＡＸ送信要求が前記通信装置１０で過去に送信された画像データに関する送信履歴情報の送信要求であるか否かを判断する。具体的に、前記制御部１１は、前記ＦＡＸ送信要求に含まれたＦコード（識別コードの一例）が、前記通信装置１０で過去に送信された画像データに関する送信履歴情報の送信要求を示すＦコードであるか否かを判断する。前記Ｆコードは、前記通信装置１０で過去に送信された画像データを識別する情報であって、例えば前記画像データが記憶された前記画像記憶部１２１内のフォルダ名である。
【００５３】
具体的に、前記送信履歴情報の送信要求を示すＦコードは「００００００００００」であることが考えられる。ここで、前記制御部１１は、前記ＦＡＸ送信要求が前記送信履歴情報の送信要求であると判断すると（Ｓ３２のＹｅｓ側）、処理をステップＳ３２１に移行させる。一方、前記ＦＡＸ送信要求が前記送信履歴情報の送信要求ではないと判断すると（Ｓ３２のＮｏ側）、前記制御部１１は、処理をステップＳ３３に移行させる。
【００５４】
＜ステップＳ３２１＞
ステップＳ３２１において、前記制御部１１は、前記送信履歴情報を前記再送信要求の送信元である前記通信装置２０に送信する。このように、前記制御部１１は、前記送信履歴情報の送信要求に応じて前記送信履歴情報を送信することが可能である。ここに、前記ステップＳ３２１を実行するときの前記制御部１１が履歴送信手段の一例である。
【００５５】
ここで、前記制御部１１は、前記対応情報Ｄ２に記憶された前記送信元の識別情報と前記再送信要求の送信元の識別情報とが一致する前記画像データに関する前記送信履歴情報のみを前記通信装置２０に送信する。例えば、前記制御部１１は、ＦＡＸ送信を実行する際に送信先のＣＳＩ信号（識別情報）を前記対応情報Ｄ２に記憶しておき、その後、前記ＦＡＸ送信要求の送信元から送信されるＣＩＧ信号（識別情報）が前記ＣＳＩ信号と一致する情報のみを前記対応情報Ｄ２から抽出する。
【００５６】
例えば、前記送信履歴情報は、過去に行われたＦＡＸ送信各々で送信された前記画像データ、Ｆコード及び送信時期などの情報を含む。これにより、前記通信装置２０のユーザーは、前記通信装置１０から受信した前記送信履歴情報を参照し、過去に行われたＦＡＸ送信各々で送信された画像データ、Ｆコード及び送信時期などの情報を把握することができる。特に、前記制御部１１は、図６に示した前記選択画面Ｇ１のように前記画像データ各々をサムネイル形式で表示又は印刷させるためのサムネイル画像を含む前記送信履歴情報を前記通信装置２０に送信することが考えられる。
【００５７】
＜ステップＳ３３＞
ステップＳ３３において、前記制御部１１は、前記ＦＡＸ送信要求が前記通信装置１０で過去に実行されたＦＡＸ送信の再送信を要求する再送信要求であるか否かを判断する。具体的に、前記制御部１１は、前記ＦＡＸ送信要求に含まれたＦコードが前記対応情報Ｄ２に記憶された前記ＦコードＤ２１のいずれかに該当する場合に、前記ＦＡＸ送信要求が前記再送信要求であると判断する。ここで、前記制御部１１は、前記ＦＡＸ送信要求が前記再送信要求ではないと判断すると（Ｓ３３のＮｏ側）、処理をステップＳ３３１に移行させる。一方、前記制御部１１は、前記ＦＡＸ送信要求が前記再送信要求であると判断すると（Ｓ３３のＹｅｓ側）、処理をステップＳ３４に移行させる。
【００５８】
＜ステップＳ３３１＞
ステップＳ３３１において、前記制御部１１は、前記ＦＡＸ送信要求に含まれたＦコードに対応するドキュメントデータを前記記憶部１２などの記憶手段から読み出して前記通信装置２０に送信する通常のポーリング送信処理を実行する。
【００５９】
＜ステップＳ３４＞
ステップＳ３４において、前記制御部１１は、前記対応情報記憶部１２３に記憶された前記対応情報Ｄ２に基づいて、前記ステップＳ３１で受信した前記ＦＡＸ送信要求に含まれたＦコードに対応する前記画像データ及び前記付加情報Ｄ１を前記記憶部１２の前記ドキュメント記憶部１２１及び前記付加情報記憶部１２２から読み出す。
【００６０】
＜ステップＳ３５＞
そして、ステップＳ３５において、前記制御部１１は、前記ステップＳ３４で読み出された前記画像データ及び前記付加情報Ｄ１をＦＡＸ通信により前記通信装置２０に送信する。このように、前記制御部１１は、前記ポーリング受信機能を用いることにより、前記Ｆコードを受信した場合に、前記Ｆコードに対応する前記画像データ及び前記付加情報Ｄ１を再送信することが可能である。従って、前記通信装置２０では、過去に受信したことのある前記画像データ及び前記付加情報Ｄ１を再度受信することができる。
【００６１】
そのため、前記通信装置１０では、前記通信装置２０からの前記ＦＡＸ送信要求に応じて、過去に送信した前記画像データ及び前記付加情報Ｄ１と同じ情報を再送信することが可能である。これにより、例えば前記通信装置１０のユーザーは再送信の操作を行う必要がなく、前記通信装置２０のユーザーは任意のタイミングでドキュメントデータを再取得することができる。
【００６２】
［一括送信機能］
また、前記通信装置１０が、過去に実行された複数のＦＡＸ送信を再送信する一括送信機能を有することが考えられる。前記一括送信機能は、前記制御部１１によって前記通信プログラムに従って処理が実行されることにより実現される。
【００６３】
ここでは、前記通信装置１０が前記ポーリング受信機能を有する場合を考える。前記ポーリング受信機能では２０桁のＦコードを使用することが可能である。そこで、前記制御部１１が、前記ポーリング受信の送信元から２０桁のＦコードを受信した場合、その前半の１０桁のＦコードを開始コード、後半の１０桁のＦコードを終了コードとして受信する。そして、前記制御部１１は、前記開始コード及び前記終了コードの間に含まれる一又は複数のＦコードに対応する前記画像データ及び前記付加情報Ｄ１を再送信の対象として決定することが考えられる。例えば、前記対応情報Ｄ２が前記対応情報記憶部１２２に記憶されており、前記Ｆコードが「１２１１１９１８０５１２１１２２１３５９」である場合には、２０１２年１１月１９日１８時０５分から２０１２年１１月２２日１３時５９分の間に実行された３件（図４参照）のＦＡＸ送信が再送信の対象として特定される。なお、前記Ｆコードが「１２１１１９１８０５１２１１１９１８０５」である場合のように、前記Ｆコードの前半及び後半が同一である場合には、２０１２年１１月１９日１８時０５分に実行された１件のＦＡＸ送信が再送信の対象として特定される。但し、この場合も、前記制御部１１は、前記Ｆコードの送信元を送信先として過去に実行されたＦＡＸ送信に対応するＦコードだけを再送信の対象として特定する。
【００６４】
そして、前記制御部１１は、前記ステップＳ３４〜Ｓ３５において、前記Ｆコードの前半の１０桁のＦコードから後半の１０桁のＦコードまでの間に含まれた一又は複数のＦコードに対応する前記画像データ及び前記付加情報Ｄ１を前記記憶部１２の前記ドキュメント記憶部１２１及び前記付加情報記憶部１２２から読み出して送信する。これにより、前記通信装置２０などの外部の通信装置のユーザーは、前記Ｆコードによって開始コード及び終了コードを指定して前記ＦＡＸ再送信処理の送信対象を定めることができ、複数のＦＡＸ送信の再送信をまとめて要求することができる。
【００６５】
なお、前記制御部１１が、前記操作表示部１３のユーザー操作に応じて２０桁のＦコードの入力を受け付け、前述したように前記Ｆコードの前半及び後半の間に含まれた一又は複数のＦコードを再送信の対象として決定することも考えられる。
【００６６】
［オーダーシート受理機能］
また、前記通信装置１０が、外部の通信装置からＦＡＸ通信により受信するオーダーシートの内容に応じてＦＡＸ送信を実行するオーダーシート受理機能を有することが考えられる。前記オーダーシート受理機能は、前記制御部１１によって前記通信プログラムに従って処理が実行されることにより実現される。
【００６７】
具体的に、前記ステップＳ３２１において、前記制御部１１は、図９に示すように過去のＦＡＸ送信ごとに再送信の有無を指示する選択記入欄Ｍ１が含まれたオーダーシート形式で前記送信履歴情報を送信する。図９に示す前記送信履歴情報は、前記選択記入欄Ｍ１に対する塗りつぶしの記入の有無により選択の有無が示されるマークシート形式を採用した例である。この場合、前記通信装置２０のユーザーは、前記オーダーシート形式の前記送信履歴情報を印刷したオーダーシートにおいて、再送信が必要な前記ＦＡＸ送信の履歴に対応する前記選択記入欄を塗りつぶす。そして、前記通信装置２０のユーザーは、前記選択記入欄Ｍ１が塗りつぶされた前記オーダーシートを、前記通信装置２０により前記通信装置１０にＦＡＸ送信によって送信させる。一方、前記通信装置１０では、前記制御部１１が、前記オーダーシートの画像データが受信された場合、前記画像データを解析することにより、前記選択記入欄Ｍ１に対する塗りつぶしの記入により選択された前記画像データを再送信の対象として特定する。そして、前記制御部１１は、前記再送信の対象として特定された前記ＦＡＸ送信に対応する画像データ及び前記付加情報Ｄ１を前記オーダーシートの送信元に送信する。これにより、前記通信装置２０のユーザーは、前記送信履歴情報のうち再送信が必要なＦＡＸ送信を容易に選択して前記通信装置１０に再送信の要求を依頼することが可能である。
【符号の説明】
【００６８】
１０：通信装置
１１：制御部
１１１：ＣＰＵ
１１２：ＲＯＭ
１１３：ＲＡＭ
１１４：ＥＥＰＲＯＭ
１２：記憶部
１３：操作表示部
１４：画像読取部
１５：画像形成部
１６：通信ＩＦ
１７：内部バス
２０：通信装置
１００：通信網
【図１】
2014187669.tif 000003
【図２】
2014187669.tif 000004
【図３】
2014187669.tif 000005
【図４】
2014187669.tif 000006
【図５】
2014187669.tif 000007
【図６】
2014187669.tif 000008
【図７】
2014187669.tif 000009
【図８】
2014187669.tif 000010
【図９】
2014187669.tif 000011